(57)【要約】【課題】既存施設等の開放空間の上方に安全かつ簡便に遮蔽部を構築できる遮蔽部の構築方法を提供する。【解決手段】開放空間の上方を覆う遮蔽部を構築する遮蔽部の構築方法において、開放空間上に第一走行架台３を配設し、該第一走行架台３に楊重装置６を載置する移動式作業構台５を配置し、前記第一走行架台３上の楊重装置６により、第一走行架台３に隣接して第二走行架台４を配置し、前記第一走行架台３から第二走行架台４に前記移動式作業構台５を移動し、前記第二走行架台４上の楊重装置６により、第一走行架台３を第二走行架台４の他の側面に盛替え、前記第一走行架台３の盛替えによりできた空間に遮蔽部７を建て込み、前記第一及び第二走行架台３，４の盛替えの繰り返しによりできた空間に遮蔽部７を建て込むことを繰り返して行なうことを特徴とする。【選択図】　　　図１
2004124413.tif 000002
【特許請求の範囲】
【請求項１】
開放空間の上方を覆う遮蔽部を構築する遮蔽部の構築方法において、
開放空間上に第一走行架台を配設し、
該第一走行架台に楊重装置を載置する移動式作業構台を配置し、
前記第一走行架台上の楊重装置により、第一走行架台に隣接して第二走行架台を配置し、
前記第一走行架台から第二走行架台に前記移動式作業構台を移動し、
前記第二走行架台上の楊重装置により、第一走行架台を第二走行架台の他の側面に盛替え、
前記第一走行架台の盛替えによりできた空間に遮蔽部を建て込み、
前記第一及び第二走行架台の盛替えの繰り返しによりできた空間に遮蔽部を建て込むことを繰り返して行なうことを特徴とする、
遮蔽部の構築方法。
【請求項２】
請求項１に記載の遮蔽部の構築方法において、前記移動式作業構台は自走式とすることを特徴とする、遮蔽部の構築方法。
【発明の詳細な説明】
【０００１】
【発明の属する技術分野】
本発明は、例えば浄水場のろ過池等の既設構造物等の上方開放空間へ遮蔽部を構築するための遮蔽部の構築方法に関するものである。
【０００２】
【従来の技術】
例えば、既存の開放空間の上方に屋根等の遮蔽部を構築するための方法としては、構築予定位置の近傍より大型クレーン等の楊重装置で以って遮蔽部を吊り上げたり、門型クレーンを設置して遮蔽部を吊り上げたりすることで開放空間の上方を覆うように組み立てる方法が知られている。
また、構築予定位置の側方に作業ヤードを設け、この作業ヤードに遮蔽部を配置し、この作業ヤードから組み立て式の遮蔽部を構成する各構成部材を順番にスライドさせて或いは完成した遮蔽部を一気に押し出し、構築予定位置に遮蔽部を構築する方法が知られている（例えば、特許文献１を参照）。
【０００３】
【特許文献１】
特開平６−２９９７３０号公報（第２−４頁、第５図或いは第７図）
【０００４】
【発明が解決しようとする課題】
前記した従来の遮蔽部の構築方法にあっては、次のような問題点がある。
＜イ＞　例えば、既設の浄水場等の稼動している施設内での作業であると、ろ過池直上での作業において作業現場に移動式クレーンの据付ができない。
＜ロ＞　既設の各種設備や構造物が支障となり、スライドによる作業ヤードからの遮蔽部の配設は困難であり施設損壊の危険が伴う。
また、既設の施設においては、側方に充分な作業ヤードを確保できない恐れがある。
＜ハ＞　門型クレーンを設置するには、長大スパンが必要となり、大量の機材を必要とし、かつ既設施設への影響が大きくなってしまう。
【０００５】
【発明の目的】
本発明は上記したような従来の問題を解決するためになされたもので、既存施設等の開放空間の上方に安全かつ簡便に遮蔽部を構築できる遮蔽部の構築方法を提供することを目的とする。
また、本発明は、遮蔽部構築時の楊重装置の据付問題を解消できる遮蔽部の構築方法を提供することを目的とする。
更に、本発明は、既設構造物に支障を及ぼすことなく施工ができる遮蔽部の構築方法を提供することを目的とする。
その上、本発明は、特殊設備を必要とせず施工ができる遮蔽部の構築方法を提供することを目的とする。
本発明は、これらの目的の少なくとも一つを達成するものである。
【０００６】
【課題を解決するための手段】
上記のような目的を達成するために、本発明の遮蔽部の構築方法は、開放空間の上方を覆う遮蔽部を構築する遮蔽部の構築方法において、開放空間上に第一走行架台を配設し、該第一走行架台に楊重装置を載置する移動式作業構台を配置し、前記第一走行架台上の楊重装置により、第一走行架台に隣接して第二走行架台を配置し、前記第一走行架台から第二走行架台に前記移動式作業構台を移動し、前記第二走行架台上の楊重装置により、第一走行架台を第二走行架台の他の側面に盛替え、前記第一走行架台の盛替えによりできた空間に遮蔽部を建て込み、前記第一及び第二走行架台の盛替えの繰り返しによりできた空間に遮蔽部を建て込むことを繰り返して行なうことを特徴とするものである。
ここで、「遮蔽部」とは、例えば浄水場のろ過池等のような既設構造物等における開放した上方空間に限らず、新設構造物等の上方空間をも覆うための屋根状部材を含む公知の遮蔽部材を指す。
また、「走行架台」とは、軌条等の公知の走行路を敷設することにより後述する移動式作業構台を移動自在に載置する架台を指す。
「移動式作業構台」とは、楊重装置を載置可能な作業用の足場を有し、前述した走行架台の走行路上を移動自在となるように車輪等の公知の走行装置を設けた構台を指す。
「楊重装置」とは、例えば公知のクレーン等の楊重に用いる重機等を指す。
【０００７】
また、本発明の遮蔽部の構築方法は、前記移動式作業構台は自走式とすることを特徴とするものである。
【０００８】
【発明の実施の形態１】
以下に図を参照しながら本発明の遮蔽部の構築方法について説明する。
なお、本例においては、既設浄水場のろ過池の上方開放空間を覆う遮蔽部を構築する方法の一例について説明する。
【０００９】
＜イ＞　第一走行架台の配設
浄水場のろ過池１の側方より、公知の楊重機２等を使用してろ過池１上に第一走行架台３を配設する（図１（ａ）参照）。
ろ過池１には、第一走行架台３及び後述する第二走行架台４を掛け渡すことができるように、所定間隔に架台１０群を配置してあり、架台１０，１０同士の間隔は、走行架台３，４が載置可能な長さとする。なお、架台１０を配置せずとも、既設構造物上に走行架台３，４を掛け渡すことができる既設の構造物があれば、それを利用して本例の施工を行なうことができることは勿論である。
第一走行架台３は、ろ過池１上での遮蔽部の構築作業を行なう後述する移動式作業構台５を支持する。第一走行架台３としては、例えばＨ型鋼等を採用することができ、後述する移動式作業構台５を支持できるだけの本数を配設する。
また、第一走行架台３には、上面に後述する移動式作業構台５を走行自在とするための車輪（図示せず）と合致する軌条（図示せず）が配設してある。
なお、軌条の採用は一例に過ぎず、移動式作業構台５の自走手段に合わせて公知の走行路を自由に採用できることは勿論である。
第一走行架台３は、ろ過池１の縁に隣接して配設する。
また、第一走行架台３は、上面に配設した軌条の向きを、遮蔽部の構築方向に向くように設置することで、移動式作業構台５の移動可能な方向を遮蔽部の構築方向に導く。
【００１０】
＜ロ＞　移動式作業構台の配設
移動式作業構台５は、公知の楊重機２等により前述した第一走行架台３上に載置して配設する（図１（ａ）参照）。
移動式作業構台５は、後述する楊重装置であるラフタークレーン６を載置可能な作業用の足場を有する構台であり、例えば底面に自走可能な動力を備えた車輪（図示せず）を備え、構台上に覆工桁（図示せず）、覆工板（図示せず）を組み合わせてなる。覆工板は、遮蔽部を構築する際の作業用の足場となり、ここに構築に必要な機材を載置できる。
また、移動式作業構台５の覆工板には、その端部より遮蔽部の構築作業空間側に作業足場５０が突設してあり、これにより遮蔽部構築の作業性を向上できると共に、作業時における作業員の安全性を確保できる。
第一走行架台３上に配設した移動式作業構台５の上面には、公知の楊重装置であるラフタークレーン６を載置する。
ラフタークレーン６は、第一、第二走行架台３，４の盛替え及び遮蔽部の構築に使用する。
【００１１】
＜ハ＞　第二走行架台の配設
第一走行架台３上の移動式作業構台５に載置したラフタークレーン６により、第二走行架台４を配設する（図１（ｂ）参照）。
第二走行架台４としては、第一走行架台３と同様の構成を呈する例えばＨ型鋼の上面に軌条（図示せず）を設けたものを採用できる。
第二走行架台４は、遮蔽部の構築作業の進行方向に向けて第一走行架台３と連続するように隣接して配設する。この際、当然、第二走行架台４上の軌条は、第一走行架台３の軌条と連続するように合致する。これにより、移動式作業構台５は、第一走行架台３から第二走行架台４への移動が可能となる。
【００１２】
＜ニ＞　移動式作業構台の移動
第二走行架台４の設置後、移動式作業構台５を第二走行架台４上に移動する（図２（ａ）参照）。
移動式作業構台５の移動は、自走式の車輪（図示せず）により行なう。車輪には、公知の起動モータ等を備え、これにより移動式作業構台５が第一走行架台３及び第二走行架台４の軌条（図示せず）に沿って自走して移動する。
この際、移動式作業構台５の車輪には、例えばインバータ制御の電気式直結起動モータを採用すれば、滑らかな起動及び移動操作により、移動作業の安全性を高めることが可能である。
なお、移動後の移動式作業構台５の車輪には、その停止位置に到達した後の転がりを阻止するために公知のストッパ（図示せず）を配置することで、作業時におけるより高い安全性が得られる。
【００１３】
＜ホ＞　第一走行架台の盛替え
第二走行架台４上に移動したラフタークレーン６により、第一走行架台３の盛替えを行なう（図２（ａ）参照）。
第一走行架台３は、第二走行架台４の遮蔽部構築作業の進行方向側に、軌条（図示せず）が連続して合致するように盛替える。
この盛替えにより、第一走行架台３が配置されていた空間が開放され、遮蔽部を構築する空間ができる。
【００１４】
＜ヘ＞　遮蔽部の構築
第一走行架台３の盛替えによりできた空間に、遮蔽部７を構築する（図２（ｂ）参照）。
遮蔽部７は、ラフタークレーン６を用いて例えば鉄骨建方、ＡＬＣ板等を組み合わせて構築する。遮蔽部７を構成する機材は、予めラフタークレーン６を載置した移動式作業構台５に搬入しておいてもよいし、ラフタークレーン６を伸長して搬入してもよい。
また、遮蔽部７は、現場で組み立てるほかに、楊重が可能であれば、予め組み立てられたものをラフタークレーン６で搬入し備え付けるようにしてもよい。
なお、前記した遮蔽部７の構築の他に、図５に示すように盛替え前の第一走行架台３上にラフタークレーン６が位置するうちに、第一走行架台３の両側の空間へ遮蔽部７，７を構築し、第一走行架台３を盛替えて移動式作業構台５を第二走行架台４に移動した後に、第一走行架台３が配置されていた空間並びに第二走行架台４の両側の空間に遮蔽部７，７，７を構築することもできる。
【００１５】
＜ト＞　移動式作業構台の移動
遮蔽部７の構築後、第二走行架台４上に配置した移動式作業構台５を、盛替えた第一走行架台３に移動して、第二走行架台４をラフタークレーン６で以って次の配設位置に盛替えする（図３（ａ）参照）。
そして、前述と同様に、第二走行架台４を盛替えてできた空間に遮蔽部７を構築する（図３（ｂ）参照）。
【００１６】
＜チ＞　以降の工程
以上説明した各工程を繰り返すことにより、移動式作業構台５の移動と、第一走行架台３と第二走行架台４の盛替えを相互に行なうことでできた空間に遮蔽部７を順番に構築することができ、最終的にろ過池１の上方全域を遮蔽部７群で覆うことができる（図４（ａ），（ｂ）参照）。
【００１７】
【発明の効果】
本発明の遮蔽部の構築方法は、以上説明したようになるから次のような効果を得ることができる。
＜イ＞　既存施設等の上方開放空間に、安全かつ簡便に遮蔽部を構築できる。
＜ロ＞　楊重装置として、ラクタークレーン等の公知の重機を使用し、これを移動式作業構台上に据付可能であるため、楊重装置の据付等に特殊な設備が不要である。
＜ハ＞　遮蔽部構築の進渉に伴い、走行架台を盛替えるため、構築に係る設備がコンパクトとなり、使用機材を少なくすることができる。
よって、経済的な遮蔽部の構築が可能となる。
＜ニ＞　稼動中の各種施設においても、既設構造物を回避でき稼動に影響を与えることがなく、安全かつ確実な遮蔽部の構築が実施可能である。
＜ホ＞　移動式作業構台に作業足場を設けたことにより、構築作業足場を充分に確保できるから作業性が向上する。
＜ヘ＞　構築に必要な材料を移動式作業構台上に仮置きできるから、その供給が円滑に行なえる。
＜ト＞　移動式作業構台の移動は、インバータ制御により急激な起動を防止できるから、安全かつ既設構造物への影響を最小限に抑えた施工が可能である。
【図面の簡単な説明】
【図１】（ａ）第一走行架台及び移動式作業構台を配設時、及び（ｂ）第二走行架台の配設時の説明図
【図２】（ａ）第一走行架台の盛替え時、及び（ｂ）遮蔽部の構築時の説明図
【図３】（ａ）第二走行架台の盛替え時、及び（ｂ）遮蔽部の構築時の説明図
【図４】（ａ）遮蔽部の構築時の説明図、及び（ｂ）遮蔽部全体の完成時の説明図
【図５】遮蔽部の構築時の説明図
【符号の説明】
１　・・・ろ過池
２　・・・楊重機
３　・・・第一走行架台
４　・・・第二走行架台
５　・・・移動式作業構台
６　・・・ラフタークレーン
７　・・・遮蔽部
【図１】
2004124413.tif 000003
【図２】
2004124413.tif 000004
【図３】
2004124413.tif 000005
【図４】
2004124413.tif 000006
【図５】
2004124413.tif 000007